(57)【要約】  ヘアアイロン（１０）は、ヘアアイロンの第１の端（１６）に隣接して回動可能に接続されている第１の側面部材（１２）及び第２の側面部材（１４）を含む。第１の加熱プレート（２２）が第１の側面部材（１２）の第１の面（１８）に設けられており、第２の加熱プレート（２４）が第２の側面部材（１４）の第１の面（１８）に設けられており、第１の側面部材（１２）及び第２の側面部材（１４）が閉位置に移動することによって第１の加熱プレート（２２）と第２の加熱プレート（２４）との間の髪の毛のセクションに係合するようにする。第１の側面部材（１２）及び第２の側面部材（１４）の第２の端（１７）が、ヘアアイロン（１０）を髪の毛の中へ長手方向に摺動させることによって髪の毛のセクションを分けることを助けるようにテーパ状になっている。第１の側面部材（１２）及び第２の側面部材（１４）の第１の面（１８）の反対側にある第１の長手方向縁（３４）及び第２の長手方向縁（３５）は、第１の長手方向縁（３４）が凹状の形状であるようにそれぞれ湾曲している。【選択図】図１
2014516733.tif 000002
【特許請求の範囲】
【請求項１】
ヘアアイロンであって：
該ヘアアイロンの第１の端に隣接して回動可能に接続されている第１の側面部材及び第２の側面部材；
前記第１の側面部材の第１の面に設けられている第１の加熱プレート；並びに
前記第２の側面部材の第１の面に設けられている第２の加熱プレートであって、前記第１の側面部材及び前記第２の側面部材が閉位置に移動することによって前記第１の加熱プレートと該第２の加熱プレートとの間の髪の毛のセクションに係合するようにする、第２の加熱プレート；
を備え、前記第１の側面部材及び前記第２の側面部材の第２の端が、該ヘアアイロンを髪の毛の中へ長手方向に摺動させることによって前記髪の毛のセクションを分けることを助けるようにテーパ状になっており、前記第１の側面部材及び前記第２の側面部材の前記第１の面の反対側にある第１の長手方向縁及び第２の長手方向縁は、前記第１の長手方向縁が凹状の形状であるようにそれぞれ湾曲している、ヘアアイロン。
【請求項２】
前記第１の長手方向縁及び前記第２の長手方向縁の曲線は、前記第１のアーム部材及び前記第２のアーム部材の前記第１の端と前記第２の端との間の位置からその前記第２の端まで延びる、請求項１に記載のヘアアイロン。
【請求項３】
前記第１のアーム部材及び前記第２のアーム部材の前記第１の長手方向縁及び前記第２の長手方向縁は、その前記第１の端から該第１の端とその前記第２の端との間の位置まで互いに対して平行であり、前記第２の長手方向縁の湾曲は、前記第１の端と前記第２の端との間の前記位置から前記第２の端までの前記第１の長手方向縁の湾曲よりも大きく、それによって、前記第１の長手方向縁及び前記第２の長手方向縁は互いに近づいて前記第２の端に隣接してテーパ状の端部を形成する、請求項２に記載のヘアアイロン。
【請求項４】
前記第１の側面部材及び前記第２の側面部材は、横断面が弓状である第２の側面をそれぞれ含み、それによって、各第２の側面は、前記第１の側面の前記第１の長手方向縁から前記第１の側面の前記第２の長手方向縁まで延びる、請求項３に記載のヘアアイロン。
【請求項５】
前記第１の側面部材及び前記第２の側面部材の前記第２の側面は、前記第２の端に向かってそれぞれの前記第１の側面の上の高さが小さくなる、請求項４に記載のヘアアイロン。
【請求項６】
前記第２の側面の縦断面の前記弓状の形状は、前記第２の端に向かってサイズが小さくなっており、それによって、前記テーパ状の端部は前記第２の端に向かって断面サイズが小さくなる、請求項５に記載のヘアアイロン。
【請求項７】
前記加熱プレートのそれぞれは、前記第２の端に隣接する位置から、それぞれの前記側面部材の長さの一部に沿って前記第２の端と前記第１の端との間の位置まで延びる、請求項１〜６のいずれか一項に記載のヘアアイロン。
【請求項８】
前記第１の加熱プレート及び前記第２の加熱プレートに印加される熱を制御するように熱制御部が設けられている、請求項１〜７のいずれか一項に記載のヘアアイロン。
【請求項９】
前記熱制御部は、前記第２の側面部材の前記第１の側面に位置付けられるダイアルを含み、該ダイアルの外周の一部が前記第１の側面部材及び前記第２の側面部材の前記第１の長手方向縁を越えて外方へ延出するようにする、請求項８に記載のヘアアイロン。
【請求項１０】
前記ヘアアイロンは：
前記第１の加熱プレートに設けられている複数の長手方向の波形部；及び
前記第１の加熱プレートの前記波形部に相補的な形状の、前記第２の加熱プレートに設けられている複数の長手方向の波形部であって、前記第１の側面部材及び前記第２の側面部材は、前記第１の加熱プレートの前記波形部が前記第２の加熱プレートの該波形部に係合する閉位置と、前記第１の加熱プレート及び前記第２の加熱プレートが髪の毛を受け入れるように離れている開位置との間で回動することができるようにする、複数の長手方向の波形部；
を更に含み、前記第１の側面部材及び前記第２の側面部材を前記閉位置に移動させることによって前記第１の加熱プレートと前記第２の加熱プレートとの間で髪の毛のセクションに係合し、頭皮に隣接する髪の毛を縮れさせ、ボリュームを作る、請求項１〜９のいずれか一項に記載のヘアアイロン。
【請求項１１】
前記加熱プレートに設けられている前記波形部は、第１の長手方向縁から第２の長手方向縁に向かって離れる方向に振幅が小さくなる、請求項１０に記載のヘアアイロン。
【請求項１２】
前記波形部は、前記第１の長手方向縁から前記第２の長手方向縁に向かって振幅が小さくなる概ね正方形の波形を画定する、請求項１１に記載のヘアアイロン。
【請求項１３】
前記第１の加熱プレート及び前記第２の加熱プレートの上面は平坦であり、該加熱プレート間に係合する髪の毛を真っ直ぐにする、請求項１〜９のいずれか一項に記載のヘアアイロン。
【発明の詳細な説明】
【技術分野】
【０００１】
本発明はヘアアイロンに関する。
【背景技術】
【０００２】
多くの人々は、ボリュームを増やすか又は髪の毛を真っ直ぐにするように自身の髪の毛を処理することを望む。頭部に対して平坦に載る比較的細い髪の毛を有する人々の場合、髪の毛を頭部から離すように持ち上げてよりふっくらした髪の毛の頭部の見た目を作るように髪の毛を処理することが望ましい場合がある。髪の毛を縮れさせる（crimping）アイロンを用いて頭皮近くの髪の毛の部分に小さいウェーブを加え、髪の毛を頭部から立ち上がらせ、より大きいボリュームを与えることができる。髪の毛を縮れさせるアイロンは一般的に、髪の毛のセクションの周りで一緒に回動することができる一対の被加熱プレートを含む。
【０００３】
うねった髪の毛又は縮毛を真っ直ぐにするストレートヘアアイロンは同様の構造を含む。すなわち、髪の毛のセクションの周りに係合して髪の毛を加熱し真っ直ぐにすることができる一対の被加熱プレートを含む。ストレートアイロンの場合、被加熱プレートは平坦な面を含む。
【発明の概要】
【発明が解決しようとする課題】
【０００４】
本発明は、真っ直ぐにすること及びボリュームを与えることを含む髪の処理に用いることができる改良されたヘアアイロン構造に関する。このヘアアイロンの構造は、髪の毛を分けるセクション及び処理するセクションの工程をより容易にする。
【課題を解決するための手段】
【０００５】
本発明の一態様によると、ヘアアイロンであって：
ヘアアイロンの第１の端に隣接して回動可能に接続されている第１の側面部材及び第２の側面部材；
第１の側面部材の第１の面に設けられている第１の加熱プレート；並びに
第２の側面部材の第１の面に設けられている第２の加熱プレートであって、第１の側面部材及び第２の側面部材が閉位置に移動することによって第１の加熱プレートと第２の加熱プレートとの間の髪の毛のセクションに係合するようにする、第２の加熱プレート；
を備え、第１の側面部材及び第２の側面部材の第２の端が、ヘアアイロンを髪の毛の中へ長手方向に摺動させることによって髪の毛のセクションを分けることを助けるようにテーパ状になっており、第１の側面部材及び第２の側面部材の第１の面の反対側にある第１の長手方向縁及び第２の長手方向縁は、第１の長手方向縁が凹状の形状であるようにそれぞれ湾曲している、ヘアアイロンが提供される。
【０００６】
好ましくは、第１の長手方向縁及び第２の長手方向縁の曲線は、第１のアーム部材及び第２のアーム部材の第１の端と第２の端との間の位置からその第２の端まで延びる。
【０００７】
好ましくは、第１のアーム部材及び第２のアーム部材の第１の長手方向縁及び第２の長手方向縁は、その第１の端から第１の端とその第２の端との間の位置まで互いに対して平行であり、第２の長手方向縁の湾曲は、第１の端と第２の端との間の上記位置から第２の端までの第１の長手方向縁の湾曲よりも大きく、それによって、第１の長手方向縁及び第２の長手方向縁は互いに近づいて第２の端に隣接してテーパ状の端部を形成する。
【０００８】
好ましくは、第１の側面部材及び第２の側面部材は、横断面が弓状である第２の側面をそれぞれ含み、それによって、各第２の側面は、第１の側面の第１の長手方向縁から第１の側面の第２の長手方向縁まで延びる。
【０００９】
好ましい実施形態では、第１の側面部材及び第２の側面部材の第２の側面は、第２の端に向かってそれぞれの第１の側面の上の高さが小さくなる。
【００１０】
１つの実施形態では、第２の側面の縦断面の弓状の形状は、第２の端に向かってサイズが小さくなっており、それによって、テーパ状の端部は第２の端に向かって断面サイズが小さくなる。
【００１１】
加熱プレートのそれぞれは、好ましくは、第２の端に隣接する位置から、それぞれの側面部材の長さの一部に沿って第２の端と第１の端との間の位置まで延びる。
【００１２】
１つの実施形態では、第１の加熱プレート及び第２の加熱プレートに印加される熱を制御するように熱制御部が設けられている。熱制御部は好ましくは、第２の側面部材の第１の側面に位置付けられるダイアルを含み、ダイアルの外周の一部が第１の側面部材及び第２の側面部材の第１の長手方向縁を越えて外方へ延出するようにする。
【００１３】
１つの実施形態では、ヘアアイロンは：
第１の加熱プレートに設けられている複数の長手方向の波形部；及び
第１の加熱プレートの波形部に相補的な形状の、第２の加熱プレートに設けられている複数の長手方向の波形部であって、第１の側面部材及び第２の側面部材は、第１の加熱プレートの波形部が第２の加熱プレートの波形部に係合する閉位置と、第１の加熱プレート及び第２の加熱プレートが髪の毛を受け入れるように離れている開位置との間で回動することができるようにする、複数の長手方向の波形部；
を更に含み、
第１の側面部材及び第２の側面部材を閉位置に移動させることによって第１の加熱プレートと第２の加熱プレートとの間で髪の毛のセクションに係合し、頭皮に隣接する髪の毛を縮れさせ、ボリュームを作る。
【００１４】
波形部は、第１の長手方向縁から第２の長手方向縁に向かって離れる方向に振幅を小さくすることができる。好ましくは、波形部は、第１の長手方向縁から第２の長手方向縁に向かって振幅が小さくなる概ね正方形の波形を画定する。
【００１５】
更なる実施形態では、第１の加熱プレート及び第２の加熱プレートの上面は平坦であり、加熱プレート間に係合する髪の毛を真っ直ぐにする。
【００１６】
ここで、以下の図面を参照して本発明を例として説明する。
【図面の簡単な説明】
【００１７】
【図１】本発明によるヘアアイロンの上面斜視図である。
【図２ａ】図１のヘアアイロンの側面図である。
【図２ｂ】線Ａ−Ａを通る図２ａのヘアアイロンの断面図である。
【図３ａ】図１のヘアアイロンの上面図である。
【図３ｂ】線Ｂ−Ｂを通る図３ａのヘアアイロンの断面図である。
【図４ａ】図１のヘアアイロンの加熱プレートの上面斜視図である。
【図４ｂ】波形部の形状が破線で示されている、加熱プレートの上面図である。
【図４ｃ】線Ａ−Ａを通る図４ｂの加熱プレートの断面図である。
【図４ｄ】線Ｂ−Ｂを通る図４ｂの加熱プレートの断面図である。
【図４ｅ】線Ｃ−Ｃを通る図４ｂの加熱プレートの断面図である。
【図５ａ】図１のヘアアイロンの側面図である。
【図５ｂ】図５ａの細部Ａの拡大図である。
【図５ｃ】図１のヘアアイロンの上面図である。
【発明を実施するための形態】
【００１８】
図面を参照すると、概して第１の側面部材１２及び第２の側面部材１４を含むヘアアイロン１０が示されている。第１の側面部材１２及び第２の側面部材１４のそれぞれは、第１の端１６及び第２の端１７を有する細長い部材を含む。
【００１９】
第１の側面部材１２及び第２の側面部材１４は、第１の端１６に隣接して互いに回動可能に接続されている。第１の側面部材１２及び第２の側面部材１４のそれぞれは、第１の側面１８を含む。第１の側面１８は概ね平坦であり、第１の側面部材１２の第１の側面１８は第２の側面部材１４の第１の側面１８に隣接している。
【００２０】
第１の側面部材１２と第２の側面部材１４との間の回動接続は、第１の側面部材１２及び第２の側面部材１４の第１の端１６に隣接して位置付けられているヒンジ機構２０によって提供される。第１の側面部材１２及び第２の側面部材１４は、第１の側面部材１２の第１の側面１８が第２の側面部材１４の第１の側面１８に隣接しているとともに平行である（図２に示されているような）閉位置と、第１の側面部材１２及び第２の側面部材１４が互いから離れている開形態との間で回動可能である。
【００２１】
ヒンジ機構２０は、第１の側面部材１２及び第２の側面部材の第１の端１６から僅かにオフセットして位置付けられている。第１の側面部材１２及び第２の側面部材１４はしたがって、ヒンジ機構２０と第１の端１６との間で第１の側面部材１２及び第２の側面部材１４を一緒に押圧することによって開位置に回動することができる。
【００２２】
第１の側面部材１２の第１の端１６には、加熱アイロン１０を掛けるためのフック４０が設けられている。フック４０は、その遠位端にリングを有する、第１の側面部材１２の第１の端１６から外方へ延びるシャフトを含む。
【００２３】
図示の実施形態では、第１の側面部材１２及び第２の側面部材１４のそれぞれは、第１の側面１８とは反対側の第２の側面１９を含む。第２の側面１９は、横断面が弓状であり、それによって、各第２の側面１９は第１の側面１８の第１の長手方向縁３４から第１の側面１８の反対側の第２の長手方向縁３５まで延びる。
【００２４】
第１の側面部材１２には、その第１の側面１８に固定される第１の加熱プレート２２が設けられている。第２の側面部材１４には、その第１の側面１８に固定される第２の加熱プレート２４が設けられている。第１の加熱プレート２２及び第２の加熱プレート２４のそれぞれは、対応する側面部材１２又は１４の第１の側面１８に固定される下面、及び、下面から離れて位置付けられる上面２１を含む。第１の加熱プレート２２の上面２１はしたがって、第２の加熱プレート２４の上面２１に隣接して配置されており、それによって、これらの上面２１は第１の側面部材１２及び第２の側面部材１４が閉形態に移動すると係合する。
【００２５】
加熱プレート２２及び２４のそれぞれは、第２の端１７に隣接する位置から、関連する側面部材１２又は１４の長さの一部に沿って側面部材１２又は１４の中間点に隣接する位置まで延びる。
【００２６】
図示の実施形態では、加熱アイロン１０は、髪の毛にボリュームを加えるために髪の毛を縮れさせるアイロンとして構成されている。第１の加熱プレート２２及び第２の加熱プレート２４の上面２１は、その長さに沿って長手方向の波形部２６を含む。しかし、髪の毛を真っ直ぐにするために用いられる加熱アイロン１０の場合、加熱プレート２２及び２４の上面２１は平坦であることが理解されるであろう。
【００２７】
上面２１の波形部２６は、側面部材１２及び１４の長手方向軸に平行に延びる複数のリブを含む。第１の加熱プレート２２の波形部２６は、第２の加熱プレート２４の波形部２６に相補的である。すなわち、第１の加熱プレート２２が（図４ｃ〜図４ｅにおいて最も良く分かるように）第２の加熱プレート２４に係合すると、第１の加熱プレート２２のリブが第２の加熱プレート２４の隣接するリブの間に受け入れられる。
【００２８】
ヘアアイロン１０には、第１の側面部材１２及び第２の側面部材１４のそれぞれに加熱素子も設けられている。加熱素子は、加熱プレート１２及び１４に熱を印加するように設けられている。加熱素子は電気的な加熱素子を含み、加熱素子に電力を供給するように第２の側面部材１４の第１の端から延びる電源コード２８が設けられている。
【００２９】
加熱素子の動作を制御し、それによって加熱プレート２２及び２４の温度を制御するように熱制御部も設けることができる。図示の実施形態の熱制御部は、第２の側面部材１４の第１の側面１８の、第２の加熱プレート２４とヒンジ機構２０との間に位置付けられるダイアル３０を含む。ダイアル３０は、図３ａにおいて最も良く分かるように、その外周の一部が第１の側面部材１２及び第２の側面部材１４の第１の長手方向縁３４を越えて外方へ延出するように位置付けられている。ダイアル３０はしたがって、ダイアル３０をその延出部分を介して回すことによって、第１の側面部材１２及び第２の側面部材１４が閉位置にある間に操作することができる。
【００３０】
波形部２６は、その振幅が第１の長手方向縁３２から第２の長手方向縁３３に向かって離れる方向に小さくなるように加熱プレート２４に設けられている。すなわち、リブの高さ（したがってリブ間の溝の深さ）は第２の長手方向縁３３に向かって小さくなる。加熱プレート２２及び２４の第１の長手方向縁３２は、使用時に頭皮に最も近い向きとなる縁である。
【００３１】
図示の実施形態のリブは概ね正方形の形状である。すなわち、波形部は第１の長手方向縁３２から第２の長手方向縁３３に向かって振幅が小さくなる概ね正方形の波形を画定する。
【００３２】
加熱プレート２２及び２４の第１の長手方向縁及び第２の長手方向縁、並びに第１の側面部材１２及び第２の側面部材の第１の長手方向縁３４及び第２の長手方向縁３５はそれぞれ湾曲している。第１の側面部材１２及び第２の側面部材１４は、第１の長手方向縁３４が頭部の曲率に概ね一致するよう凹状の形状であるように湾曲している。第１の側面部材１２及び第２の側面部材１４の第２の長手方向縁３５は、第１の長手方向縁３４の曲線に概ね追従するように湾曲している。
【００３３】
図示の実施形態では、第１の長手方向縁３４及び第２の長手方向縁３５の曲線は、第１のアーム部材１２及び第２のアーム部材１４の第１の端１６と第２の端１７との間の位置からその第２の端１７まで延びる。
【００３４】
第１のアーム部材１２及び第２のアーム部材１４の第１の端１６から第１の端１６とその第２の端１７との間の位置まで、第１の長手方向縁３４及び第２の長手方向縁３５は互いに平行である。第１の端１６と第２の端１７との間の上記位置から、第２の長手方向縁３５の湾曲は第１の長手方向縁３４の湾曲よりも大きく、それによって、第１の長手方向縁３４及び第２の長手方向縁３５は第２の端１７に隣接してテーパ状の端部２１を形成するように互いに近づく。
【００３５】
また、第１の側面部材１２及び第２の側面部材１４の第２の側面１９は、それぞれの第１の面１８の上の高さが小さくなる。すなわち、第２の側面１９の縦断面の弓状の形状は、第２の端１７に隣接する部分に沿ってサイズが小さくなっており、それによって、テーパ状の端部２１は第２の端に向かって断面サイズが小さくなる。すなわち、テーパ状の端部２１は一点に向かってテーパ状になっている。
【００３６】
第１の側面部材１２及び第２の側面部材１４には、第１の側面部材１２及び第２の側面部材１４が離れる量を制限するように調節機構も設けられている。図示の実施形態では、調節機構は、第１の側面部材１２のヒンジ機構２０と第１の端１６との間の孔を通して設けられるペグ３６を含む。
【００３７】
ペグ３６の内側端は、第１の側面部材１２及び第２の側面部材１４の第１の端１６間のスペースに延びており、それによって、側面部材１２及び１４が開位置に向かって回動すると、第２の部材１４の第１の端１６がペグ３６の内側端に係合する。ペグ３６は、孔の雌ねじに係合するねじ山付きの外面を含み、それによって、ペグ３６を回転させることによって内側端が第２の側面部材１４に対して接離し、側面部材１２及び１４のペグ３６に係合する前の移動の量を調節する。
【００３８】
使用時には、ヘアアイロン１０は、髪の毛のセクションを真っ直ぐにするか又は縮れさせるよう処理するように用いられる。第１の側面部材１２及び第２の側面部材１４は、開形態に移動され、第１の長手方向縁３４が頭皮に隣接するとともに頭皮に概ね平行になるような向きにされる。第１の側面部材１２及び第２の側面部材１４のテーパ状の端部２１は髪の毛の中に挿入され、ヘアアイロン１０は次に、髪の毛のセクションが第１の側面部材１２と第２の側面部材１４との間に受け入れられるように長手方向に移動される。テーパ状の端部２１は、処理する髪の毛のセクションを分けることをより容易する。
【００３９】
ヘアアイロン１０は、ヘアアイロンが頭皮に隣接した状態で、髪の毛のセクションが第１の側面部材１２と第２の側面部材１４との間に受け入れられ、髪の毛が第１の側面部材１２と第２の側面部材１４との間を概ね横断方向に通るように移動される。第１の側面部材１２及び第２の側面部材１４を閉位置に移動させることによって、第１の側面部材１２と第２の側面部材１４との間の髪の毛のセクションの一部が第１の加熱プレート２２と第２の加熱プレート２４との間に挟持される。
【００４０】
波形部１６を有する加熱プレート２２及び２４の場合、波形部２６は髪の毛の一部を縮れさせ、この縮れは、印加される熱によって髪の毛にセットされる。波形部のサイズが第２の長手方向縁３３に向かって小さくなっているため、髪の毛の縮れのサイズは頭皮から離れる方向に小さくなる。好ましくは、第１の加熱プレートの第１のリブ（したがって第２の加熱プレートの対応する溝）は、最初の縮れが頭皮の近くに配置されるように第１の長手方向縁３２の比較的近くに位置付けられる。
【００４１】
ヘアアイロン１０の第１の側面部材１２及び第２の側面部材１４並びに加熱プレート２２及び２４の構成は、髪の毛を分けるセクションの使用を容易にすることを可能にし、頭皮に隣接する髪の毛のみを縮れさせるため、髪の毛の残りの部分は真っ直ぐであるように見える。縮れのサイズが頭皮から離れるにつれて小さくなることは、有用なボリュームを与える効果を提供し、正方形の波型の縮れは、髪の毛の比較的短いセクションにわたってかなりの量のボリュームを加えると考えられる。
【００４２】
加熱アイロン１０は、ストレートアイロンとして用いる場合、頭皮に近接するところから髪の毛のセクションに係合し、次に加熱プレート２２及び２４間の髪の毛を真っ直ぐにするように外方へ移動されることができる。
【００４３】
当業者には、本発明の基本的な発明の概念から逸脱することなく、既に説明した実施形態に加えて、上述の実施形態に種々の変更及び改良を加えることができることが容易に明らかであろう。
【図１】
2014516733.tif 000003
【図２ａ】
2014516733.tif 000004
【図２ｂ】
2014516733.tif 000005
【図３ａ】
2014516733.tif 000006
【図３ｂ】
2014516733.tif 000007
【図４ａ】
2014516733.tif 000008
【図４ｂ】
2014516733.tif 000009
【図４ｃ】
2014516733.tif 000010
【図４ｄ】
2014516733.tif 000011
【図４ｅ】
2014516733.tif 000012
【図５ａ】
2014516733.tif 000013
【図５ｂ】
2014516733.tif 000014
【図５ｃ】
2014516733.tif 000015
【国際調査報告】
2014516733.tif 000016
2014516733.tif 000017
2014516733.tif 000018